(57)【要約】【課題】  ノイズを含む検出信号の検出処理においてノイズの影響による誤検出を防止し、車両の運転時における安全性の向上を図ることである。【解決手段】  点消灯制御装置１は、それぞれＬＥＤ１３−１〜１３−３の異常を検出するための検出信号を出力する異常検出部５−１〜５−３と、前記各検出信号が一定の検出周期ごとに入力され入力された検出信号ごとに異なる検出タイミングで検出する制御部６とを有する。制御部６では、入力された前記各検出信号の検出タイミングから次の検出周期における検出タイミングまでの時間を前記複数の半導体光源ごとに取得周期とする場合に、前記複数の半導体光源ごとに少なくとも一つの取得周期が他の取得周期と異なるように検出処理プログラムを実行する。【選択図】  図１
2010086667.tif 000002
【特許請求の範囲】
【請求項１】
それぞれ複数の半導体光源に供給された電流又は電圧を検出して前記各半導体光源の異常をそれぞれ検出するための検出信号を出力する複数の異常検出部と、
前記各検出信号が一定の検出周期の中で検出信号ごとに異なる検出タイミングで検出する制御部とを有し、
入力された前記各検出信号の検出タイミングから次の検出周期における検出タイミングまでの時間を前記複数の半導体光源ごとに取得周期とする場合に、前記複数の半導体光源ごとに少なくとも一つの取得周期が他の取得周期と異なるようにした
ことを特徴とする車両用灯具の点消灯制御装置。
【請求項２】
前記半導体光源が二つ設けられ、
前記取得周期が前記検出周期より長い第１の取得周期と前記検出周期より短い第２の取得周期とからなり、
前記第１の取得周期と前記第２の取得周期が交互に繰り返されるようにした
ことを特徴とする請求項１に記載の車両用灯具の点消灯制御装置。
【請求項３】
前記検出周期において第１〜第ｍ（ｍは２以上の整数）の検出信号が前記制御部に入力されると１回の検出周期でｍ個の前記検出信号が検出され、
１回の検出周期内における前記第１〜前記第ｍの検出信号の検出タイミングをそれぞれｔ１〜ｔｍとし、
１回の検出周期における前記第２〜前記第（ｍ−１）の検出信号の検出タイミングが次の検出周期では第ｔ３〜第ｔｍ又は第ｔ１〜第ｔｍ−２である
ことを特徴とする請求項１に記載の車両用灯具の点消灯制御装置。
【請求項４】
前記検出周期が第１〜第ｎ（ｎは２以上の整数）の検出周期で構成されており、
任意の回の検出周期において検出タイミングｔ１で検出された検出信号が次の検出周期において検出タイミングｔ２で検出され、前記任意の回の検出周期において検出タイミングｔｍで検出される検出信号が次の検出周期において検出タイミングｔ１で検出される
ことを特徴とする請求項３に記載の車両用灯具の点消灯制御装置。
【請求項５】
検出周期が第１〜第ｎ（ｎは２以上の整数）の検出周期で構成されており、
任意の回の検出周期において検出タイミングｔｍで検出された検出信号が次の検出周期において検出タイミングｔｍ−１で検出され、前記任意の回の検出周期において検出タイミングｔ１で検出された検出信号が次の検出周期において検出タイミングｔｍで検出が行われる
ことを特徴とする請求項３に記載の車両用灯具の点消灯制御装置。
【発明の詳細な説明】
【技術分野】
【０００１】
本発明は、車両用灯具の点消灯制御装置に関し、半導体光源の異常を判定する制御部を備えた車両用灯具の点消灯制御装置に関する。
【背景技術】
【０００２】
一般に、車両用灯具の点消灯制御装置は、半導体光源と該半導体光源を駆動する駆動電流を制御する電流制御部とを有する複数の光源ユニットと、複数の光源ユニットにそれぞれ給電線を介して接続された制御ユニットとを備えて構成されている（例えば、特許文献１参照）。
【０００３】
制御ユニットは、それぞれ複数の光源ユニットの異常を検出する複数の異常検出部と各光源ユニットの異常判定を行う制御部とを有している。各異常検出部はそれぞれ各給電線を介して供給される各電流値又は各電圧値を検出し、検出された電流値又は電圧値を検出信号として制御部に送出する。各検出信号は一定の検出周期ごとに１回ずつ制御部に入力される。入力された各検出信号は検出信号ごとに異なる検出タイミングで検出され、各回における各検出信号の検出タイミングは同じとされている。光源ユニットの異常判定は検出された検出信号に基づいて行われる。
【０００４】
各検出信号の検出処理は制御ユニット内の制御部に内蔵されたＣＰＵ（Central Processing Unit）に予め記憶された検出処理プログラムを実行することにより行われる。
【０００５】
【特許文献１】特開２００６−７３４００号公報
【発明の開示】
【発明が解決しようとする課題】
【０００６】
ところで、例えば、一つの半導体光源（以下、「第１の半導体光源」と呼ぶ。）に対応した第１の異常検出部から制御部に検出信号（以下、「検出信号Ａ１」と呼ぶ。）が送出される。このとき検出信号Ａ１が１回目の検出周期の長さに略同期したノイズを含んでいる場合には、２回目以降の検出周期において第１の異常検出部から送出された検出信号（以下、「検出信号Ａ２」と呼ぶ。）が上記したノイズを含んでしまい、ノイズを含む検出信号が繰り返し検出されてしまう。
【０００７】
従って、ノイズの影響を受けた検出信号Ａ２により対応する半導体光源が誤って異常であると判定されてしまう。このように誤った検出が行われてしまうと半導体光源が例えば一時的に消灯状態になってしまい車両の運転時における安全性が低下するという問題が生じる。
【０００８】
そこで、本発明はノイズを含む検出信号の検出処理においてノイズの影響による誤検出を防止し、車両の運転時における安全性の向上を図ることを課題とする。
【課題を解決するための手段】
【０００９】
本発明の一態様による車両用灯具の点消灯制御装置は、それぞれ複数の半導体光源に供給された電流又は電圧を検出して前記各半導体光源の異常をそれぞれ検出するための検出信号を出力する複数の異常検出部と、前記各検出信号が一定の検出周期の中で検出信号ごとに異なる検出タイミングで検出する制御部とを有し、入力された前記各検出信号の検出タイミングから次の検出周期における検出タイミングまでの時間を前記複数の半導体光源ごとに取得周期とする場合に、前記複数の半導体光源ごとに少なくとも一つの取得周期が他の取得周期と異なるようにしたものである。
【００１０】
従って、制御部によって、複数の半導体光源ごとに少なくとも一つの取得周期が他の取得周期と異なるように検出処理が行われる。
【発明の効果】
【００１１】
本発明車両用灯具の点消灯制御装置は、それぞれ複数の半導体光源に供給された電流又は電圧を検出して前記各半導体光源の異常をそれぞれ検出するための検出信号を出力する複数の異常検出部と、前記各検出信号が一定の検出周期の中で検出信号ごとに異なる検出タイミングで検出する制御部とを有し、入力された前記各検出信号の検出タイミングから次の検出周期における検出タイミングまでの時間を前記複数の半導体光源ごとに取得周期とする場合に、前記複数の半導体光源ごとに少なくとも一つの取得周期が他の取得周期と異なるようにしたことを特徴とする。
【００１２】
従って、少なくとも一つの取得周期が他の取得周期と異なっているので、検出信号のノイズの影響による誤検出を防止することができる。
【００１３】
請求項２に記載した発明にあっては、前記半導体光源が二つ設けられ、前記取得周期が前記検出周期より長い第１の取得周期と前記検出周期より短い第２の取得周期とからなり、前記第１の取得周期と前記第２の取得周期が交互に繰り返されるようにしたので、半導体光源が二つ設けられた場合における各検出信号のノイズの影響による誤検出を防止することができる。
【００１４】
請求項３に記載した発明にあっては、前記検出周期において第１〜第ｍ（ｍは２以上の整数）の検出信号が前記制御部に入力されると１回の検出周期でｍ個の前記検出信号が検出され、１回の検出周期内における前記第１〜前記第ｍの検出信号の検出タイミングをそれぞれｔ１〜ｔｍとし、１回の検出周期における前記第２〜前記第（ｍ−１）の検出信号の検出タイミングが次の検出周期では第ｔ３〜第ｔｍ又は第ｔ１〜第ｔｍ−２であるので、半導体光源が複数設けられた場合における各検出信号のノイズの影響による誤検出を防止することができる。
【００１５】
請求項４に記載した発明にあっては、前記検出周期が第１〜第ｎ（ｎは２以上の整数）の検出周期で構成されており、任意の回の検出周期において検出タイミングｔ１で検出された検出信号が次の検出周期において検出タイミングｔ２で検出され、前記任意の回の検出周期において検出タイミングｔｍで検出される検出信号が次の検出周期において検出タイミングｔ１で検出される。従って、半導体光源が複数設けられ、任意の回の検出周期の最後の検出タイミングで検出された信号が次の検出周期において最初の検出タイミングで検出されるので各検出信号のノイズの影響による誤検出を防止することができる。
【００１６】
請求項５に記載した発明にあっては、検出周期が第１〜第ｎ（ｎは２以上の整数）の検出周期で構成されており、任意の回の検出周期において検出タイミングｔｍで検出された検出信号が次の検出周期において検出タイミングｔｍ−１で検出され、前記任意の回の検出周期において検出タイミングｔ１で検出された検出信号が次の検出周期において検出タイミングｔｍで検出が行われる。従って、半導体光源が複数設けられ、任意の回の検出周期の最初の検出タイミングで検出された信号が次の検出周期において最後の検出タイミングで検出されるので各検出信号のノイズの影響による誤検出を防止することができる。
【発明を実施するための最良の形態】
【００１７】
以下に、本発明の第１の実施の形態に係る車両用灯具の点消灯制御装置について説明する。図１は本発明の第１の実施の形態に係る点消灯制御装置の構成を示した図である。図２は第１の実施の形態に係る点消灯制御装置の動作を説明するためのフローチャートである。図３は異常検出における検出周期及び検出タイミングの一例を示した図である。
【００１８】
点消灯制御装置１は、図１に示すように、制御ユニット２と、複数、例えば、三つの光源ユニット３−１〜３−３を備えている。制御ユニット２は給電線Ｓ１−１〜Ｓ１−３を介して光源ユニット３−１〜３−３に接続されている。制御ユニット２は、入力回路４と、それぞれ光源ユニット３−１〜３−３に設けられた後述するＬＥＤの異常を検出する異常検出部５−１〜５−３と、制御部６と、それぞれ光源ユニット３−１〜３−３を点消灯制御するスイッチ部ＳＷ１−１〜ＳＷ１−３とを備えている。
【００１９】
入力回路４はノイズフィルタとダンプサージなどのサージ保護素子（サージアブソーバ・パワーツェナー）を備えている。
【００２０】
異常検出部５−１〜５−３はそれぞれ電流検出回路（図示せず）及び電圧検出回路（図示せず）を備えている。異常検出部５−１〜５−３の入力側にはそれぞれスイッチ部ＳＷ１−１〜ＳＷ１−３が接続され、出力側にはそれぞれ給電線Ｓ１−１〜Ｓ１−３を介して光源ユニット３−１〜３−３が接続されている。
【００２１】
各電流検出回路は、例えば、スイッチ部ＳＷ１−１〜ＳＷ１−３に直列に接続されたシャント抵抗とベース同士が接続されたＰＮＰトランジスタを含んで構成され、該ＰＮＰトランジスタのコレクタが制御部６に接続されている。電圧検出回路は、例えば、２つの抵抗を含んで構成され、前記２つの抵抗の間のノードが制御部６に接続されている。
【００２２】
スイッチ部ＳＷ１−１〜ＳＷ１−３としては、例えば、ＰＭＯＳトランジスタ等のスイッチ素子が用いられている。
【００２３】
光源ユニット３−１〜３−３は、それぞれ電流制御部としてのスイッチングレギュレータ１０−１〜１０−３、制御回路１１−１〜１１−３、共振回路（ノイズフィルタ）１２−１〜１２−３及び半導体光源としてのＬＥＤ１３−１〜１３−３を備えている。共振回路１２−１〜１２−３はそれぞれコイル及びコンデンサを備えている。
【００２４】
以下に、第１の実施の形態に係る点消灯制御装置の動作について説明する。
【００２５】
ＬＥＤ１３−１〜１３−３の点消灯は、それぞれスイッチ部ＳＷ１−１〜ＳＷ１−３のオンオフにより光源ユニット３−１〜３−３ヘの直流電圧の給電を制御することにより行われる。
【００２６】
異常検出回路５−１〜５−３は、それぞれ給電線Ｓ１−１〜Ｓ１−３を介してＬＥＤ１３−１〜１３−３へ供給された電流値又は電圧値を検出する。検出された各電流値又は各電圧値はそれぞれＬＥＤ１３−１〜１３−３の異常を検出するための検出信号として制御部６に内蔵されたＣＰＵ（図示せず）に送出される。
【００２７】
ＣＰＵは、それぞれ異常検出回路５−１〜５−３によって検出された検出信号に基づいてＬＥＤ１３−１〜１３−３に異常があるか否かを判定する。
【００２８】
ＣＰＵによるＬＥＤ１３−１〜１３−３の異常判定処理は、それぞれ一定の検出周期ごとに、それぞれ対応する検出信号を検出する検出処理プログラムと、検出された各検出信号に基づいて異常判定処理を行う異常判定プログラムとを実行することにより行われる。
【００２９】
以下に、例えば、二つのＬＥＤ１３−１、１３−２の点消灯制御について説明する（図２及び図３参照）。このような上記例は、スイッチ部ＳＷ１−１、ＳＷ１−２がオンであり、ＳＷ１−３がオフであるような例である。尚、以下の説明において、異常検出部５−１、５−２から出力される検出信号をそれぞれ検出信号Ａ、Ｂと呼ぶ。
【００３０】
図２におけるＡ検出及びＢ検出とはそれぞれ検出信号Ａ、Ｂの検出を意味する。
【００３１】
図３におけるＡ及びＢで示された区間はそれぞれ検出信号Ａ、Ｂを検出する検出処理プログラムを実行する区間である。残りの区間は、対応する各ＬＥＤ１３−１、１３−２が異常であるか否かを判定する異常判定プログラムを実行する区間及びその他の制御プログラムを実行する区間である。
【００３２】
異常検出部５−１、５−２からそれぞれ検出信号Ａ、Ｂが送出されたときに、図２に示す検出処理プログラムが実行される。この検出処理プログラムはｎ（ｎは２以上の整数）回以上の検出周期で実行される。
【００３３】
まず、ＣＰＵに内蔵されたカウンタ（図示せず）によってカウントアップし（ステップＳ１０１）、カウントが１より大きいか否かが判定される（ステップＳ１０２）。
【００３４】
１回目の検出周期においては、カウントが１であるので検出信号Ａの検出が行われる（ステップＳ１０３）。このときの検出タイミングは図３に示すｔ１である。次に、検出信号Ｂの検出が行われる（ステップＳ１０４）。このときの検出タイミングはｔ２である。
【００３５】
検出信号Ｂの検出が終了すると、再びカウントアップが行われ、２回目の検出周期に移行する。２回目の検出周期においては、カウントがアップして２となり、検出信号Ｂの検出が行われる（ステップＳ１０５）。このときの検出タイミングはｔ１である。次に、検出信号Ａの検出が行われる（ステップＳ１０６）。このときの検出タイミングはｔ２である。その後にカウンタがクリアされて初期状態に戻る（ステップＳ１０７）。
【００３６】
上記したように、ステップＳ１０３、１０４は１回目の検出周期で行われ、ステップＳ１０５、１０６は２回目の検出周期で行われる。その後は上記した処理がｎ回目の検出周期以降も繰り返される。
【００３７】
任意の回の検出周期における検出信号Ａの検出タイミングから次の検出周期における検出タイミングまでの時間を取得周期とする。図３の例では、第１回目の検出周期における検出信号Ａの検出タイミングから第２回目の検出周期における検出タイミングまでの時間が取得周期Ｔａ１であり、第２回目の検出周期における検出信号Ａの検出タイミングから第３回目の検出周期における検出タイミングまでの時間が取得周期Ｔａ２である。検出信号Ａの検出処理では取得周期Ｔａ１と取得周期Ｔａ２がｎ回目の検出周期以降も交互に繰り返される。
【００３８】
同様に、第１回目の検出周期における検出信号Ｂの検出タイミングから第２回目の検出周期における検出タイミングまでの時間が取得周期Ｔｂ１であり、第２回目の検出周期における検出信号Ｂの検出タイミングから第３回目の検出周期における検出タイミングまでの時間が取得周期Ｔｂ２である。検出信号Ｂの検出処理では取得周期Ｔｂ１と取得周期Ｔｂ２がｎ回目の検出周期以降も交互に繰り返される。
【００３９】
取得周期Ｔａ１と取得周期Ｔａ２を加算した時間を検出周期の回数である２で割った時間（Ｔａ）は１回の検出周期の時間となる。同様に、取得周期Ｔｂ１と取得周期Ｔｂ２を加算した時間を検出周期の回数である２で割った時間（Ｔｂ）も１回の検出周期となりＴａと同じ時間となる。
【００４０】
従って、上記したように互いに長さの異なる取得周期Ｔａ１、Ｔａ２又は取得周期Ｔｂ１、Ｔｂ２が交互に繰り返されているので、例えば、１回目の検出周期における検出信号Ａに検出周期の長さに略同期したノイズが含まれていた場合でも、２回目以降の検出周期における検出信号Ａはノイズの影響を受けることがない。このため検出信号Ａのノイズの影響による誤検出を防止することができる。
【００４１】
以下に、本発明の第２の実施の形態に係る車両用灯具の点消灯制御装置について説明する。図４は第２の実施の形態に係る点消灯制御装置の動作を説明するためのフローチャートである。図５は異常検出における検出周期及び検出タイミングの一の例を示した図である。
【００４２】
第２の実施の形態は、例えば、五つのＬＥＤの点消灯制御についての例である。以下の説明では五つのＬＥＤが異常であるか否かを検出する検出信号をそれぞれ検出信号Ａ、Ｂ、Ｃ、Ｄ、Ｅと呼ぶ。図４におけるＡ検出〜Ｅ検出はそれぞれ検出信号Ａ〜Ｅの検出を意味する。図５におけるＡ〜Ｅで示された区間はそれぞれ検出信号Ａ〜Ｅを検出する検出処理プログラムを実行する区間である。残りの区間は対応する各ＬＥＤが異常であるか否かを判定する異常判定プログラムを実行する区間及びその他の制御プログラムを実行する区間である。ｔ１〜ｔ５はそれぞれ検出信号Ａ〜Ｅの検出タイミングである。
【００４３】
五つの異常検出部からそれぞれ検出信号Ａ〜Ｅが送出されたときに、図４に示す検出処理プログラムが実行される。この検出処理プログラムはｎ（ｎは２以上の整数）回の検出周期で実行される。
【００４４】
まず、ＣＰＵに内蔵されたカウンタ（図示せず）によってカウントアップし（ステップＳ２０１）、現在のカウントがいくつであるのか判定される（ステップＳ２０２）。１回目の検出周期においては、カウントが１である（ステップＳ２０３）ので検出信号Ａ、Ｂ、Ｃ、Ｄ、Ｅの順番で検出が行われる（ステップＳ２０４）。このときの検出信号Ａ〜Ｅの検出タイミングは図５に示すようにそれぞれｔ１〜ｔ５である。
【００４５】
検出信号Ａ、Ｂ、Ｃ、Ｄ、Ｅの検出が終了すると、再びカウントアップが行われ、２回目の検出周期に移行する。２回目の検出周期においては、カウントがアップして２となり（ステップＳ２０５）、検出信号Ｅ、Ａ、Ｂ、Ｃ、Ｄの順に検出が行われる（ステップＳ２０６）。このときの検出タイミングはそれぞれｔ１〜ｔ５である。
【００４６】
検出信号Ｅ、Ａ、Ｂ、Ｃ、Ｄの検出が終了すると、再びカウントアップが行われ、３回目の検出周期に移行する。３回目の検出周期においては、カウントがアップして３となり（ステップＳ２０７）、検出信号Ｄ、Ｅ、Ａ、Ｂ、Ｃの順に検出が行われる（ステップＳ２０８）。このときの検出タイミングはそれぞれｔ１〜ｔ５である。
【００４７】
検出信号Ｄ、Ｅ、Ａ、Ｂ、Ｃの検出が終了すると、再びカウントアップが行われ、４回目の検出周期に移行する。４回目の検出周期においては、この後にカウントがアップして４となり（ステップＳ２０９）、検出信号Ｃ、Ｄ、Ｅ、Ａ、Ｂの順に検出が行われる（ステップＳ２１０）。このときの検出タイミングはそれぞれｔ１〜ｔ５である。
【００４８】
検出信号Ｃ、Ｄ、Ｅ、Ａ、Ｂの検出が終了すると、再びカウントアップが行われ、５回目の検出周期に移行する。５回目の検出周期においては、この後にカウントがアップして５となり（ステップＳ２１１）、検出信号Ｂ、Ｃ、Ｄ、Ｅ、Ａの順に検出が行われる（ステップＳ２１２）。このときの検出タイミングはそれぞれｔ１〜ｔ５である。検出信号Ｂ、Ｃ、Ｄ、Ｅ、Ａの検出が終了した後にステップＳ２１３でカウントが４より大きくなるのでカウンタがクリアされて初期状態に戻る（ステップＳ２１４）。
【００４９】
上記したように、ステップＳ２０３、２０４は１回目の検出周期で実行され、ステップＳ２０５、２０６は２回目の検出周期で実行され、ステップＳ２０７、２０８は３回目の検出周期で実行され、ステップＳ２０９、２１０は４回目の検出周期で実行され、ステップＳ２１１、２１２は５回目の検出周期で実行される。その後は上記したカウント１〜５に対応した処理がｎ回目の検出周期以降も繰り返される。
【００５０】
上記には五つのＬＥＤの点消灯制御の例について示したが、上記した例において、１回の検出周期で第１〜第ｍ（ｍは２以上の整数）のｍ個の検出信号がＣＰＵに入力されるとすると、１回の検出周期内における第１〜第ｍの検出信号の検出タイミングをそれぞれｔ１〜ｔｍとする検出処理がｎ回繰り返されることになる。このとき任意の回の検出周期において検出タイミングｔ１で検出された検出信号が次の検出周期において検出タイミングｔ２で検出され、前記任意の回の検出周期において検出タイミングｔｍで検出される検出信号が次の検出周期において検出タイミングｔ１で検出される。
【００５１】
即ち、上記した例では、１回目の検出周期において検出タイミングｔ１で検出された検出信号Ａが２回目の検出周期において検出タイミングｔ２で検出され、１回目の検出周期において検出タイミングｔ５で検出された検出信号Ｅが２回目の検出周期において検出タイミングｔ１で検出される。
【００５２】
従って、上記した検出処理プログラムを実行すれば、上記したように、ＬＥＤ
ごとに少なくとも一つの取得周期が他の取得周期とは異なり、例えば、１回目の
検出周期における検出信号Ａに検出周期の長さに略同期したノイズが含まれていた場合でも、２回目の検出周期における検出信号Ａはノイズの影響を受けることがない。このため検出信号Ａのノイズの影響による誤検出を防止することができる。
【００５３】
以下に、本発明の第３の実施の形態に係る車両用灯具の点消灯制御装置について説明する。図６は第３の実施の形態に係る点消灯制御装置の動作を説明するためのフローチャートである。図７は異常検出における検出周期及び検出タイミングの一例を示した図である。
【００５４】
第３の実施の形態は、五つのＬＥＤを点消灯制御している点では上記した第２の実施の形態と同じであるが、２回目の検出周期以降の検出信号Ａ〜Ｅの検出の順番が異なる。
【００５５】
五つの異常検出部からそれぞれ検出信号Ａ〜Ｅが送出されたときに、図６に示す検出処理プログラムが実行される。この検出処理プログラムはｎ（ｎは２以上の整数）回以上の検出周期で実行される。
【００５６】
まず、ＣＰＵに内蔵されたカウンタ（図示せず）によってカウントアップし（ステップＳ３０１）、現在のカウントがいくつであるのか判定される（ステップＳ３０２）。１回目の検出周期においては、カウントが１である（ステップＳ３０３）ので検出信号Ａ、Ｂ、Ｃ、Ｄ、Ｅの順番で検出が行われる（ステップＳ３０４）。このときの検出信号Ａ〜Ｅの検出タイミングは図７に示すようにそれぞれｔ１〜ｔ５である。
【００５７】
検出信号Ａ、Ｂ、Ｃ、Ｄ、Ｅの検出が終了すると、再びカウントアップが行われ、２回目の検出周期に移行する。２回目の検出周期においては、カウントがアップして２となり（ステップＳ３０５）、検出信号Ｂ、Ｃ、Ｄ、Ｅ、Ａの順に検出が行われる（ステップＳ３０６）。このときの検出タイミングはそれぞれｔ１〜ｔ５である。
【００５８】
検出信号Ｂ、Ｃ、Ｄ、Ｅ、Ａの検出が終了すると、再びカウントアップが行われ、３回目の検出周期に移行する。３回目の検出周期においては、カウントがアップして３となり（ステップＳ３０７）、検出信号Ｃ、Ｄ、Ｅ、Ａ、Ｂの順に検出が行われる（ステップＳ３０８）。このときの検出タイミングはそれぞれｔ１〜ｔ５である。
【００５９】
検出信号Ｃ、Ｄ、Ｅ、Ａ、Ｂの検出が終了すると、再びカウントアップが行われ、４回目の検出周期に移行する。４回目の検出周期においては、この後にカウントがアップして４となり（ステップＳ３０９）、検出信号Ｄ、Ｅ、Ａ、Ｂ、Ｃの順に検出が行われる（ステップＳ３１０）。このときの検出タイミングはそれぞれｔ１〜ｔ５である。
【００６０】
検出信号Ｄ、Ｅ、Ａ、Ｂ、Ｃの検出が終了すると、再びカウントアップが行われ、５回目の検出周期に移行する。５回目の検出周期においては、この後にカウントがアップして５となり（ステップＳ３１１）、検出信号Ｅ、Ａ、Ｂ、Ｃ、Ｄの順に検出が行われる（ステップＳ３１２）。このときの検出タイミングはそれぞれｔ１〜ｔ５である。検出信号Ｅ、Ａ、Ｂ、Ｃ、Ｄの検出が終了した後にステップＳ３１３でカウントが４より大きくなるのでカウンタがクリアされて初期状態に戻る（ステップＳ３１４）。
【００６１】
上記したように、ステップＳ３０３、３０４は１回目の検出周期で実行され、ステップＳ３０５、３０６は２回目の検出周期で実行され、ステップＳ３０７、３０８は３回目の検出周期で実行され、ステップＳ３０９、３１０は４回目の検出周期で実行され、ステップＳ３１１、３１２は５回目の検出周期で実行される。その後は上記したカウント１〜５に対応した処理がｎ回目の検出周期以降も繰り返される。
【００６２】
上記には五つのＬＥＤの点消灯制御の例について示したが、上記した例において、１回の検出周期で第１〜第ｍ（ｍは２以上の整数）のｍ個の検出信号がＣＰＵに入力されるとすると、１回の検出周期内における第１〜第ｍの検出信号の検出タイミングをそれぞれｔ１〜ｔｍとする検出処理がｎ回繰り返されることになる。このとき任意の回の検出周期において検出タイミングｔｍで検出された検出信号が次の検出周期において検出タイミングｔｍ−１で検出され、前記任意の回の検出周期において検出タイミングｔ１で検出される検出信号が次の検出周期において検出タイミングｔｍで検出される。
【００６３】
即ち、上記した例では、１回目の検出周期において検出タイミングｔ５で検出された検出信号Ｅが２回目の検出周期において検出タイミングｔ４で検出され１回目の検出周期において検出タイミングｔ１で検出された検出信号Ａが第２の検出周期において検出タイミングｔ５で検出される。
【００６４】
従って、上記した異常検出プログラムを実行すれば、ＬＥＤごとに少なくとも一つの取得周期が他の取得周期とは異なり、例えば１回目の検出周期における検出信号Ａに検出周期の長さに略同期したノイズが含まれていた場合でも、２回目の検出周期における検出信号Ａはノイズの影響を受けることがない。このため検出信号Ａのノイズの影響による誤検出を防止することができる。
【００６５】
上記した各実施の形態は、本発明を好適に実施した形態の一例に過ぎず、本発明は、その主旨を逸脱しない限り、種々変形して実施することが可能なものである。
【図面の簡単な説明】
【００６６】
【図１】本発明の第１の実施の形態に係る点消灯制御装置の構成を示した図である。
【図２】第１の実施の形態に係る点消灯制御装置の動作を説明するためのフローチャートである。
【図３】異常検出における検出周期及び検出タイミングの一例を示した図である。
【図４】第２の実施の形態に係る点消灯制御装置の動作を説明するためのフローチャートである。
【図５】異常検出における検出周期及び検出タイミングの一例を示した図である。
【図６】第３の実施の形態に係る点消灯制御装置の動作を説明するためのフローチャートである。
【図７】異常検出における検出周期及び検出タイミングの一例を示した図である。
【符号の説明】
【００６７】
１…点消灯制御装置、５−１〜５−３…異常検出部、６…制御部（ＣＰＵ含む）、１３−１〜１３−３…ＬＥＤ
【図１】
2010086667.tif 000003
【図２】
2010086667.tif 000004
【図３】
2010086667.tif 000005
【図４】
2010086667.tif 000006
【図５】
2010086667.tif 000007
【図６】
2010086667.tif 000008
【図７】
2010086667.tif 000009